【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
開口部のあるハウジングと；
該ハウジング中にある組成物であって、染料と、真核細胞を選択的に溶解可能な試薬とを含む、組成物と；
該ハウジング中にある光源と；
該ハウジング中にある光検出器と
を含む、摂取可能装置であって、
ここで、該装置を使用する間に：
対象の胃腸（ＧＩ）管からの試料が、ハウジングの開口部を通って、該ハウジングに入り；
該試料が生存細胞の標的成分を含み；
該染料が標的成分と相互作用して生成物を生成し；
該光源が、該生成物と相互作用して蛍光または化学ルミネセンスを生成する、光を放ち；および
該光検出器が蛍光または化学ルミネセンスを検出する
ように配置される、摂取可能装置。
【請求項２】
前記生存細胞の前記標的成分は、核酸、アクチン、チューブリン、酵素、ヌクレオチド結合タンパク質、イオン輸送タンパク質、ミトコンドリア、細胞質成分、および膜成分から成る群から選択された要素を含む、請求項１に記載の装置。
【請求項３】
前記染料は、細胞または細胞成分によって還元される時に蛍光を発する、請求項１または請求項２に記載の装置。
【請求項４】
前記染料は、レサズリン、Ｃ１２−レサズリン、７−ヒドロキシ−９Ｈ−（１，３ジクロロ−９，９−ジメチルアクリジン−２−オール）Ｎ−オキシド、６−クロロ−９−ニトロ−５−オキソ−５Ｈ−ベンゾ［ａ］フェノキサジン、およびテトラゾリウム塩から成る群から選択された要素を含む、請求項１または請求項２に記載の装置。
【請求項５】
前記染料は、生存細胞によって代謝される時に化学ルミネセンスを発する化学発光染料を含む、請求項１または請求項２に記載の組成物。
【請求項６】
前記試薬は界面活性剤を含む、請求項１〜５のいずれか一項に記載の装置。
【請求項７】
真核細胞を選択的に溶解可能な第２の試薬をさらに含む、請求項１〜６のいずれか１項に記載の装置。
【請求項８】
前記生存細胞は、細菌細胞である、請求項１〜７のいずれか１項に記載の装置。
【請求項９】
吸収材料を含む部材をさらに含む、装置であって、
前記組成物は少なくとも一部、前記吸収材料に吸収されていて、前記装置は摂取可能装置である、
請求項１〜８のいずれか１項に記載の装置。
【請求項１０】
前記吸収材料が前記ハウジング内の前記開口部を介して前記装置の外部と流体連通するように、前記吸収材料が前記ハウジング内に配置される、請求項９に記載の装置。
【請求項１１】
前記摂取可能装置は、前記試料の標的成分を吸収するように構成された、ハウジング中に試料摂取システムをさらに含み、前記試料採取システムは、前記吸収材料と、前記吸収材料に少なくとも一部、吸収された少なくとも１つの保存剤とを含む、請求項９に記載の装置。
【請求項１２】
染料がレサゾリンを含み、生成物がレソルフィンを含み、生存細胞が細菌細胞である、請求項１に記載の装置。
【請求項１３】
試料のｐＨが少なくとも６である、請求項１〜１２のいずれか１項に記載の装置。
【請求項１４】
試料のｐＨが最大で８である、請求項１３に記載の装置。
【請求項１５】
試料が少なくとも１.４ｍＭの胆汁を含む、請求項１〜１４のいずれか１項に記載の装置。
【請求項１６】
試料が最大で５ｍＭの胆汁を含む、請求項１５に記載の装置。
【請求項１７】
試料が少なくとも１０２ＣＦＵ／ｍＬの酵母を含む、請求項１〜１６のいずれか１項に記載の装置。
【請求項１８】
試料が最大で１０４ＣＦＵ／ｍＬの酵母を含む、請求項１７に記載の装置。
【請求項１９】
試料が十二指腸または空腸から由来する、請求項１〜１８のいずれか１項に記載の装置。
【請求項２０】
生存細胞が嫌気性細菌細胞を含む、請求項１〜１９のいずれか１項に記載の装置。
【請求項２１】
生存細胞がバクテロイデス菌細胞またはクロストリジウム菌細胞を含む、請求項１〜２０のいずれか１項に記載の装置。
【手続補正２】
【補正対象書類名】図面
【補正対象項目名】図７２Ｃ
【補正方法】変更
【補正の内容】
【図７２Ｃ】
2020508436.tif 000001
【手続補正３】
【補正対象書類名】図面
【補正対象項目名】図７３Ａ
【補正方法】変更
【補正の内容】
【図７３Ａ】
2020508436.tif 000002
【手続補正４】
【補正対象書類名】図面
【補正対象項目名】図７３Ｂ
【補正方法】変更
【補正の内容】
【図７３Ｂ】
2020508436.tif 000003
【手続補正５】
【補正対象書類名】図面
【補正対象項目名】図７４
【補正方法】変更
【補正の内容】
【図７４】
2020508436.tif 000004
【手続補正６】
【補正対象書類名】図面
【補正対象項目名】図７５Ａ
【補正方法】変更
【補正の内容】
【図７５Ａ】
2020508436.tif 000005
【手続補正７】
【補正対象書類名】図面
【補正対象項目名】図７５Ｂ
【補正方法】変更
【補正の内容】
【図７５Ｂ】
2020508436.tif 000006
【手続補正８】
【補正対象書類名】図面
【補正対象項目名】図７５Ｃ
【補正方法】変更
【補正の内容】
【図７５Ｃ】
2020508436.tif 000007
【手続補正９】
【補正対象書類名】図面
【補正対象項目名】図７６Ａ
【補正方法】変更
【補正の内容】
【図７６Ａ】
2020508436.tif 000008
【手続補正１０】
【補正対象書類名】図面
【補正対象項目名】図７６Ｂ
【補正方法】変更
【補正の内容】
【図７６Ｂ】
2020508436.tif 000009
【手続補正１１】
【補正対象書類名】図面
【補正対象項目名】図７６Ｃ
【補正方法】変更
【補正の内容】
【図７６Ｃ】
2020508436.tif 000010
【手続補正１２】
【補正対象書類名】図面
【補正対象項目名】図７６Ｄ
【補正方法】変更
【補正の内容】
【図７６Ｄ】
2020508436.tif 000011
【手続補正１３】
【補正対象書類名】図面
【補正対象項目名】図７６Ｅ
【補正方法】変更
【補正の内容】
【図７６Ｅ】
2020508436.tif 000012
【手続補正１４】
【補正対象書類名】図面
【補正対象項目名】図７６Ｆ
【補正方法】変更
【補正の内容】
【図７６Ｆ】
2020508436.tif 000013
【手続補正１５】
【補正対象書類名】図面
【補正対象項目名】図７６Ｇ
【補正方法】変更
【補正の内容】
【図７６Ｇ】
2020508436.tif 000014
【手続補正１６】
【補正対象書類名】図面
【補正対象項目名】図７６Ｈ
【補正方法】変更
【補正の内容】
【図７６Ｈ】
2020508436.tif 000015
【手続補正１７】
【補正対象書類名】図面
【補正対象項目名】図７６Ｉ
【補正方法】変更
【補正の内容】
【図７６Ｉ】
2020508436.tif 000016
【手続補正１８】
【補正対象書類名】図面
【補正対象項目名】図７７Ａ
【補正方法】変更
【補正の内容】
【図７７Ａ】
2020508436.tif 000017
【手続補正１９】
【補正対象書類名】図面
【補正対象項目名】図７７Ｂ
【補正方法】変更
【補正の内容】
【図７７Ｂ】
2020508436.tif 000018
【手続補正２０】
【補正対象書類名】図面
【補正対象項目名】図７７Ｃ
【補正方法】変更
【補正の内容】
【図７７Ｃ】
2020508436.tif 000019
【手続補正２１】
【補正対象書類名】図面
【補正対象項目名】図７７Ｄ
【補正方法】変更
【補正の内容】
【図７７Ｄ】
2020508436.tif 000020
【手続補正２２】
【補正対象書類名】図面
【補正対象項目名】図７８Ａ
【補正方法】変更
【補正の内容】
【図７８Ａ】
2020508436.tif 000021
【手続補正２３】
【補正対象書類名】図面
【補正対象項目名】図７８Ｂ
【補正方法】変更
【補正の内容】
【図７８Ｂ】
2020508436.tif 000022
【手続補正２４】
【補正対象書類名】図面
【補正対象項目名】図７８Ｃ
【補正方法】変更
【補正の内容】
【図７８Ｃ】
2020508436.tif 000023
【手続補正２５】
【補正対象書類名】図面
【補正対象項目名】図７８Ｄ
【補正方法】変更
【補正の内容】
【図７８Ｄ】
2020508436.tif 000024
【手続補正２６】
【補正対象書類名】図面
【補正対象項目名】図７８Ｅ
【補正方法】変更
【補正の内容】
【図７８Ｅ】
2020508436.tif 000025
【手続補正２７】
【補正対象書類名】図面
【補正対象項目名】図７９Ａ
【補正方法】変更
【補正の内容】
【図７９Ａ】
2020508436.tif 000026
【手続補正２８】
【補正対象書類名】図面
【補正対象項目名】図７９Ｂ
【補正方法】変更
【補正の内容】
【図７９Ｂ】
2020508436.tif 000027
【手続補正２９】
【補正対象書類名】図面
【補正対象項目名】図８０Ａ
【補正方法】変更
【補正の内容】
【図８０Ａ】
2020508436.tif 000028
【手続補正３０】
【補正対象書類名】図面
【補正対象項目名】図８０Ｂ
【補正方法】変更
【補正の内容】
【図８０Ｂ】
2020508436.tif 000029
【手続補正３１】
【補正対象書類名】図面
【補正対象項目名】図８１Ａ
【補正方法】変更
【補正の内容】
【図８１Ａ】
2020508436.tif 000030
【手続補正３２】
【補正対象書類名】図面
【補正対象項目名】図８１Ｂ
【補正方法】変更
【補正の内容】
【図８１Ｂ】
2020508436.tif 000031
【手続補正３３】
【補正対象書類名】図面
【補正対象項目名】図８２Ａ
【補正方法】変更
【補正の内容】
【図８２Ａ】
2020508436.tif 000032
【手続補正３４】
【補正対象書類名】図面
【補正対象項目名】図８２Ｂ
【補正方法】変更
【補正の内容】
【図８２Ｂ】
2020508436.tif 000033
【手続補正３５】
【補正対象書類名】図面
【補正対象項目名】図８３Ａ
【補正方法】変更
【補正の内容】
【図８３Ａ】
2020508436.tif 000034
【手続補正３６】
【補正対象書類名】図面
【補正対象項目名】図８３Ｂ
【補正方法】変更
【補正の内容】
【図８３Ｂ】
2020508436.tif 000035
【手続補正３７】
【補正対象書類名】図面
【補正対象項目名】図８４
【補正方法】変更
【補正の内容】
【図８４】
2020508436.tif 000036
【手続補正３８】
【補正対象書類名】図面
【補正対象項目名】図８５
【補正方法】変更
【補正の内容】
【図８５】
2020508436.tif 000037
【手続補正３９】
【補正対象書類名】図面
【補正対象項目名】図８６
【補正方法】変更
【補正の内容】
【図８６】
2020508436.tif 000038
【手続補正４０】
【補正対象書類名】図面
【補正対象項目名】図８７
【補正方法】変更
【補正の内容】
【図８７】
2020508436.tif 000039
【手続補正４１】
【補正対象書類名】図面
【補正対象項目名】図８８
【補正方法】変更
【補正の内容】
【図８８】
2020508436.tif 000040
【手続補正４２】
【補正対象書類名】図面
【補正対象項目名】図８９
【補正方法】変更
【補正の内容】
【図８９】
2020508436.tif 000041
【手続補正４３】
【補正対象書類名】図面
【補正対象項目名】図９０
【補正方法】変更
【補正の内容】
【図９０】
2020508436.tif 000042
【手続補正４４】
【補正対象書類名】図面
【補正対象項目名】図９１
【補正方法】変更
【補正の内容】
【図９１】
2020508436.tif 000043
【手続補正４５】
【補正対象書類名】図面
【補正対象項目名】図９２
【補正方法】変更
【補正の内容】
【図９２】
2020508436.tif 000044
【手続補正４６】
【補正対象書類名】図面
【補正対象項目名】図９３
【補正方法】変更
【補正の内容】
【図９３】
2020508436.tif 000045
【手続補正４７】
【補正対象書類名】図面
【補正対象項目名】図９４
【補正方法】変更
【補正の内容】
【図９４】
2020508436.tif 000046
【手続補正４８】
【補正対象書類名】図面
【補正対象項目名】図９５
【補正方法】変更
【補正の内容】
【図９５】
2020508436.tif 000047
【手続補正４９】
【補正対象書類名】図面
【補正対象項目名】図９６
【補正方法】変更
【補正の内容】
【図９６】
2020508436.tif 000048
【手続補正５０】
【補正対象書類名】図面
【補正対象項目名】図９７
【補正方法】変更
【補正の内容】
【図９７】
2020508436.tif 000049
【手続補正５１】
【補正対象書類名】図面
【補正対象項目名】図９８
【補正方法】変更
【補正の内容】
【図９８】
2020508436.tif 000050
【手続補正５２】
【補正対象書類名】図面
【補正対象項目名】図９９
【補正方法】変更
【補正の内容】
【図９９】
2020508436.tif 000051
【手続補正５３】
【補正対象書類名】図面
【補正対象項目名】図１００
【補正方法】変更
【補正の内容】
【図１００】
2020508436.tif 000052
【手続補正５４】
【補正対象書類名】図面
【補正対象項目名】図１０１
【補正方法】変更
【補正の内容】
【図１０１】
2020508436.tif 000053
【手続補正５５】
【補正対象書類名】図面
【補正対象項目名】図１０２
【補正方法】変更
【補正の内容】
【図１０２】
2020508436.tif 000054
【手続補正５６】
【補正対象書類名】図面
【補正対象項目名】図１０３Ａ
【補正方法】変更
【補正の内容】
【図１０３Ａ】
2020508436.tif 000055
【手続補正５７】
【補正対象書類名】図面
【補正対象項目名】図１０３Ｂ
【補正方法】変更
【補正の内容】
【図１０３Ｂ】
2020508436.tif 000056
【手続補正５８】
【補正対象書類名】図面
【補正対象項目名】図１０４
【補正方法】変更
【補正の内容】
【図１０４】
2020508436.tif 000057
【手続補正５９】
【補正対象書類名】図面
【補正対象項目名】図１０５
【補正方法】変更
【補正の内容】
【図１０５】
2020508436.tif 000058
【手続補正６０】
【補正対象書類名】図面
【補正対象項目名】図１０６Ａ
【補正方法】変更
【補正の内容】
【図１０６Ａ】
2020508436.tif 000059
【手続補正６１】
【補正対象書類名】図面
【補正対象項目名】図１０６Ｂ
【補正方法】変更
【補正の内容】
【図１０６Ｂ】
2020508436.tif 000060
【手続補正６２】
【補正対象書類名】図面
【補正対象項目名】図１０７Ａ
【補正方法】変更
【補正の内容】
【図１０７Ａ】
2020508436.tif 000061
【手続補正６３】
【補正対象書類名】図面
【補正対象項目名】図１０７Ｂ
【補正方法】変更
【補正の内容】
【図１０７Ｂ】
2020508436.tif 000062
【手続補正６４】
【補正対象書類名】図面
【補正対象項目名】図１０８
【補正方法】変更
【補正の内容】
【図１０８】
2020508436.tif 000063
【手続補正６５】
【補正対象書類名】図面
【補正対象項目名】図１０９Ａ
【補正方法】変更
【補正の内容】
【図１０９Ａ】
2020508436.tif 000064
【手続補正６６】
【補正対象書類名】図面
【補正対象項目名】図１０９Ｂ
【補正方法】変更
【補正の内容】
【図１０９Ｂ】
2020508436.tif 000065
【手続補正６７】
【補正対象書類名】図面
【補正対象項目名】図１０９Ｃ
【補正方法】変更
【補正の内容】
【図１０９Ｃ】
2020508436.tif 000066
【手続補正６８】
【補正対象書類名】図面
【補正対象項目名】図１０９Ｄ
【補正方法】変更
【補正の内容】
【図１０９Ｄ】
2020508436.tif 000067
【手続補正６９】
【補正対象書類名】図面
【補正対象項目名】図１０９Ｅ
【補正方法】変更
【補正の内容】
【図１０９Ｅ】
2020508436.tif 000068
【手続補正７０】
【補正対象書類名】図面
【補正対象項目名】図１０９Ｆ
【補正方法】変更
【補正の内容】
【図１０９Ｆ】
2020508436.tif 000069
【手続補正７１】
【補正対象書類名】図面
【補正対象項目名】図１０９Ｇ
【補正方法】変更
【補正の内容】
【図１０９Ｇ】
2020508436.tif 000070
【手続補正７２】
【補正対象書類名】図面
【補正対象項目名】図１０９Ｈ
【補正方法】変更
【補正の内容】
【図１０９Ｈ】
2020508436.tif 000071
【手続補正７３】
【補正対象書類名】図面
【補正対象項目名】図１０９Ｉ
【補正方法】変更
【補正の内容】
【図１０９Ｉ】
2020508436.tif 000072